(57)【要約】【課題】  本発明は通信販売等において使用される商品の写真やカタログに透かし画像を組み込み、画像情報を解析することによって各種情報を取得する通信販売システムに関する。【解決手段】  本発明は商品の写真やカタログ、テレビ画像、動画像、音楽等に透かし情報を埋め込み、特に電子透かし情報としてＵＲＬ情報を必ず埋め込み、例えば上記画像をカメラ付き携帯電話機を使用して撮影することによって、画像データに含まれるＵＲＬの情報を使用してインターネットを介して相手企業に接続し、簡単に商品購入の申し込みや、ユーザの勧誘、情報提供サービス等を行うことができる。【選択図】  図１
2005184158.tif 000002
【特許請求の範囲】
【請求項１】
撮像手段が設けられた携帯機器と、該携帯機器にネットワークを介して接続されたサーバとから成る情報検出システムであって、
前記携帯機器は撮像手段によってＵＲＬを含む電子透かし情報が埋め込まれた画像を撮影し、該電子透かし情報を解析する解析手段と、
該解析手段によって解析され、抽出されたＵＲＬに基づいて、該ＵＲＬのウェブページにアクセスするアクセス手段と、
前記電子透かし情報として埋め込まれた他の情報を、アクセスしたウェブページに送信する送信手段と、
を有することを特徴とする情報検出システム。
【請求項２】
前記携帯機器は、携帯電話機であることを特徴とする請求項１記載の情報検出システム。
【請求項３】
前記抽出されたＵＲＬに基づいて、ウェブページにアクセスする際、抽出されたＵＲＬを表示し、確認を行った後、該ウェブページへの接続を行うことを特徴とする請求項１、又は２記載の情報検出システム。
【請求項４】
前記電子透かし情報には、フリーダイアルの情報も含むことを特徴とする請求項１、２、又は３記載の情報検出システム。
【請求項５】
前記電子透かし情報には、抽選くじイベントの当選表示を行うプログラムも埋め込まれていることを特徴とする請求項１、２、３、又は４記載の情報検出システム。
【請求項６】
サーバに接続された携帯機器であって、
該携帯機器には撮像手段が設けられ、ＵＲＬを含む電子透かし情報が埋め込まれた画像を撮影し、該画像に埋め込まれた電子透かし情報を解析する解析手段と、
該解析手段によって解析され、抽出されたＵＲＬに基づいて、該ＵＲＬのウェブページにアクセスするアクセス手段と、
前記電子透かし情報に埋め込まれた他の情報を、接続されたウェブページに送信する送信手段と、
を有することを特徴とする携帯機器。
【請求項７】
前記携帯機器は、携帯電話機であることを特徴とする請求項６記載の携帯機器。
【請求項８】
サーバに接続された携帯機器に使用されるプログラムであって、
該携帯機器には撮像手段が設けられ、ＵＲＬを含む電子透かし情報が埋め込まれた画像を撮影し、該画像に埋め込まれた電子透かし情報を解析する処理と、
該処理によって解析され、抽出されたＵＲＬに基づいて、該ＵＲＬのウェブページにアクセスする処理と、
前記電子透かし情報に埋め込まれた他の情報を、接続されたウェブページに送信する処理と、
を行うプログラムであり、コンピュータが実行可能なプログラム。
【発明の詳細な説明】
【技術分野】
【０００１】
本発明は、商品の写真やカタログ、テレビ画像、動画像等に透かし情報を埋め込み、該画像情報を撮影して解析することによって電子透かし情報に含まれる、何らかの意図された情報を検出し、該情報に基づく処理をネットワークを使用して行う情報検出システムに関する。
【背景技術】
【０００２】
今日、インターネットの発達によって商品の通信販売や、動画像の送信、音楽の配信等が広く行われている。例えば、通信販売の場合、インターネットを介して購入希望者が商品の発注し、販売人は希望する商品を購入希望者に発送する。その際、より効率のよい通信販売システムが提案されている。
【０００３】
例えば、商品の購入希望者はカタログに印刷されたバーコードをバーコードリーダで読み取り、バーコードに含まれるＵＲＬの情報を基に、データセンタに通信を行い、商品購入の指示を行うものである。このように構成することにより、より簡単に通信販売を利用することが可能となる。
【０００４】
また、特許文献１にはインターネット通信販売における商品画像の色化け問題を解決する技術が開示されている。この為、共通する色判別の物差しとして、公知のＲＧＢ基準色画像のような判別基準色を採用し、この判別基準色を商品、見本カタログに併記（印刷）し、色化け問題を解決している。
【特許文献１】特開２００３−２２８６５８号公報
【発明の開示】
【発明が解決しようとする課題】
【０００５】
しかしながら、上記従来のシステムでは以下の問題がある。例えば、商品カタログにバーコードを印刷する場合、当該バーコードを読み取るバーコードリーダが必要になる。また、判別基準色を商品、見本カタログに併記（印刷）する場合には、処理が煩雑になる。
【０００６】
そこで、本発明は商品の写真やカタログ、テレビ画像、動画像等に透かし情報を埋め込み、少なくとも相手先もＵＲＬの情報を書き込み、例えば上記画像をカメラ付き携帯電話機を使用して撮影することによって、画像データに含まれるＵＲＬの情報を使用してインターネットを介して通信販売会社等に接続し、商品購入の申し込みや、情報提供サービス、ユーザの勧誘情報等の提供を簡単な操作で行える情報検出システムを提供するものである。
【課題を解決するための手段】
【０００７】
上記課題は本発明によれば、撮像手段が設けられた携帯機器と、該携帯機器にネットワークを介して接続されたサーバとから成る情報検出システムであって、前記携帯機器は撮像手段によってＵＲＬを含む電子透かし情報が埋め込まれた画像を撮影し、該画像に埋め込まれた電子透かし情報を解析する解析手段と、該解析手段によって解析され、抽出されたＵＲＬに基づいて、該ＵＲＬのウェブページにアクセスするアクセス手段と、前記電子透かし情報に埋め込まれた他の情報を、接続されたウェブページに送信する送信手段とを有する情報検出システムを提供することによって達成できる。
【０００８】
例えば、雑誌やカタログ、新聞、文書、動画等に埋め込む電子透かし情報として、あらゆる意図された情報が含まれる。また、電子透かし情報を埋め込む対象は印刷物に限らず、例えば動画像や、音楽や音声であってもよい。
【０００９】
このように構成することにより、印刷物や動画像、音楽等に電子透かし情報を埋め込み、携帯機器の接続先であるウェブ（Ｗｅｂ）ページに接続する為のＵＲＬを読み出し、各種情報を自動的に送信するこができる。
【００１０】
例えば、ポスターやカタログ等の印刷物に電子透かし情報を埋め込み、ユーザの勧誘を行い、また情報提供サーバを有するクライアント企業へユーザを勧誘する。また、テレビ番組やコマーシャル（ＣＭ）から購入サーバにユーザを導き、情報提供サーバにユーザを勧誘する。さらに、ラジオ番組から購入サーバにユーザを導き、情報提供サーバにユーザを勧誘する。
【００１１】
また、上記携帯機器としては、例えば携帯電話機やＰＤＡが適用できる。また、上記処理を記録媒体に記録されたプログラムによって実現することもできる。
【発明の効果】
【００１２】
本発明によれば、バーコード等を使用することなく、透かし画像を使用し、簡単な操作でインターネットを使用した各種情報の授受を容易に行うことができる。
【発明を実施するための最良の形態】
【００１３】
以下、本発明の実施の形態を図面を参照しながら説明する。
図１は本発明の実施形態を説明するシステム構成図である。同図において、１は管理サーバであり、本システムの運営、管理を行う。この管理サーバ１はインターネット２を介して印刷会社３のサーバや、クライアント企業４のサーバ、及び通信販売会社５のサーバに接続されている。
【００１４】
また、一般利用者（以下、ユーザで示す）は、例えば通信販売を利用する際、カメラ付きの携帯電話機６ａ、６ｂ、・・・やＰＤＡ（personal digital assistants）７ａ、７ｂ、・・・を使用し、インターネット２を介して通信販売会社５のサーバにアクセスする。
【００１５】
図２は上記管理サーバ１の模式図である。同図において、管理サーバ１は、ＣＰＵ１０、ＲＯＭ１１、ＲＡＭ１２等で構成され、ＣＰＵ１０はＲＯＭ１１に記録されたシステムプログラムに従って処理を行い、必要に応じて管理サーバ１に接続された記憶装置１３をアクセスする。
【００１６】
また、ディスプレイ１４には必要な情報が表示され、通信回線を介して情報の授受が行われる。尚、本例のシステム制御はＲＯＭ１１に記憶したプログラムに従って実行されるが、同図に示すように管理サーバ１に配設されたメディアドライバ１５にＣＤ−ＲＯＭ、フレキシブルディスク、ＭＯ等の記録媒体１６を装着し、この記録媒体１６から上記プログラムを読出して使用する構成としてもよい。
【００１７】
図３は、上記記憶装置１３に構築されたデータベースの一例である。同図に示すように、本例のデータベースは電子透かし情報に対応するデータが記憶されており、例えばコード０００１の電子透かし情報は、通信販売会社〇△□のＵＲＬの情報が対応している。また、コード０００２の電子透かし情報は、通信販売会社○○○のＵＲＬの情報が対応し、コード０００３の電子透かし情報は印刷会社△△△のＵＲＬの情報が対応する。
【００１８】
また、例えばコード０１００の電子透かし情報は、ある商品情報に対応し、更にコード０２００の電子透かし情報は、あるプロプログラムの情報である。
以上の構成において、以下に本例の処理動作を説明する。
【００１９】
先ず、図４に示す例は、携帯電話機を使用して商品画像を撮影し、該画像に含まれる透かし情報を解析して得たＵＲＬによって通信販売会社５に商品の注文を行う例である。
先ず、図４（ａ）に示す通信販売会社５が発行する商品カタログ２０を確認し、希望する商品を探す。次に、希望する商品が見つかると、携帯電話機６ａ（６ｂ、・・・）を操作して当該商品画像を撮影する。次に、同図（ｂ）に示す画面の「購入」ボタンを指定することによって、自動的に通信販売会社５のサーバに当該商品の購入指示を行う。以下、上記処理を具体的に説明する。
【００２０】
図５は上記処理を具体的に説明する画面遷移図であり、特に携帯電話機６ａ（６ｂ、・・・）のディスプレイに表示される画面の遷移を示す。また、図６は本例の処理を説明するフローチャートである。
【００２１】
先ず、携帯電話機６ａ（６ｂ、・・・）を操作して、ソフト一覧の起動メニューを表示する（ステップ（以下、Ｓで示す）１）。図５（ａ）は起動メニューの例であり、「電子透かし検出アプリケーション」、「バーコードリーダ」、「マイリモコン」等の選択可能なアプリケーションの選択画面が表示される。
【００２２】
次に、ユーザは上記選択画面から希望するアプリケーションを選択する（Ｓ２）。本例においては、上記起動メニューから「電子透かし検出アプリケーション」を選択する（Ｓ２がＹＥＳ、Ｓ３）。
【００２３】
図５（ｂ）は「電子透かし検出アプリケーション」を選択した際の画面であり、付属カメラが起動し、被写体の撮影が可能になる。また、同図（ｂ）に示すように、ズーム機能を備え、必要に応じて被写体の画像をズームし、撮影することができる。
【００２４】
一方、被写体は図５（ｃ）に示すように、ポスターや、ＣＤ、ビデオ等のジャケット、サイン看板、雑誌やカタログ、モニター（テレビ画面）等であり、電子透かし情報が埋め込まれた画像である。
【００２５】
次に、ユーザは希望する被写体を選択する（Ｓ４）。そして、被写体が決まると、図５（ｂ）の下部に表示される「撮影」ボタンを指定し、被写体を撮影する（Ｓ５）。図５（ｄ）は希望する被写体を撮影し、当該画像がディスプレイに表示された状態を示す。例えば、本例では被写体としてビデオジャケットを撮影したものである。
【００２６】
次に、この画像から電子透かし情報を検出する（Ｓ６）。この処理は、特に図７に示すフローチャートに従って実行される。先ず、一旦ＲＡＭに撮影画像を取り込み（Ｓ６−１）、ＣＰＵによって撮影画像に含まれる電子透かし情報を抽出する（Ｓ６−２）。次に、抽出した電子透かし情報に基づいてデータベースを検索し、対応する情報を読み出す（Ｓ６−３）。すなわち、前述の図３に示すデータベースを検索し、対応するＵＲＬ（例えば、上記“ｈｔｔｐ／／ｗｗｗ〇△□．ｃｏ．ｊｐ”）を読み出し、ディスプレイに表示する（Ｓ６−４、Ｓ７）。
【００２７】
図５（ｅ）は上記処理によって抽出したＵＲＬをディスプレイに表示した例であり、抽出したＵＲＬとして、例えば上記“ｈｔｔｐ／／ｗｗｗ〇△□．ｃｏ．ｊｐ”が表示される。この状態において、当該サイトに接続する場合には、同図（ｅ）に示す「はい」のボタンを指定することによって（Ｓ８がＹＥＳ）、同図（ｆ）に示すメールアドレス確認画面が表示され、更に「はい」のボタンを指定することによって（Ｓ９がＹＥＳ）、表示されたＵＲＬのホームページに自動的に接続される（Ｓ１０）。
【００２８】
以上のように処理することによって、電子透かし情報が含まれた画像を撮影するだけで、当該画像に含まれるＵＲＬ情報を取得でき、当該ＵＲＬを使用して自動的に対応するサイトに接続することができる。
【００２９】
このように構成することにより、例えば図５（ｃ）に示す画像がカタログ販売の商品画像であれば、当該画像に含まれるＵＲＬを抽出することによって、自動的に当該カタログ販売の通信販売会社に接続し、当該商品の注文をすることができる。
【００３０】
次に、フリーダイヤルへのダイヤル確認が指示されると（Ｓ１１）、図５（ｇ）に示すダイヤル確認画面が表示される。この処理は、上記電子透かし情報に埋め込まれたプログラムに従った処理であり、当該ダイヤル番号も電子透かし情報に埋め込まれている。
【００３１】
次に、抽選くじイベントの当選案内表示が行われ（Ｓ１２）、例えば図５（ｈ）に示す当選案内表示が行われる。例えば、“おめでとう！  大当たり！あなたのＩＤは１２３４５６７８です。ホームページにアクセスしてください”の表示が行われる。そして、ホームページに接続する為のＵＲＬが表示される。ユーザは当該ホームページに接続する場合には、「はい」のボタンを指定し、接続しない場合には、「戻る」のボタンを指定する（Ｓ１３）。
【００３２】
その後、図５（ｉ）に示す購入手続き画面が表示され（Ｓ１４）、商品番号や、価格、注文個数の確認が行われる。ユーザは上記画面を確認し、「購入」のボタンを指定すると、当該確認終了指示が通信販売会社５に送信され、処理が終了する。
【００３３】
以上のように処理することによって、ユーザはカタログに表示される商品を撮影するだけでＵＲＬや商品情報を取得することができ、通信販売による商品購入を簡単に行うことができる。
【００３４】
尚、図８はテレビ画面に表示される画像を携帯電話機６ａ（６ｂ、・・・）によって撮影し、電子透かし情報を取得して放送メディアに接続する処理を示すものである。この場合も電子透かし情報として、商品番号や、商品名、価格、個数であり、購入を希望する場合には「購入」のボタンを指定して、放送メディアに接続する。
【００３５】
また、図９は上記システムの説明、及び画像に電子透かし情報を埋め込む処理システムの概念図を示す。特に画像に電子透かし情報を埋め込む処理は、同図の上側に示す。
例えば、管理サーバ１はクライアント企業４や通信販売会社５から写真データを受信する。この写真データには、通信販売のカタログに載せる商品の写真やポスターであり、これらの写真やポスターの画像を電子透かし埋め込みを行う企業に送信する。そして、電子透かし情報が埋め込まれた画像は印刷会社に送られ、更に制作会社に送られ電子透かし情報が埋め込まれたカタログやポスターが作成される。
【００３６】
尚、上記実施形態では印刷物に埋め込まれた電子透かし情報について説明したが、印刷物に限らず、例えば動画像を対象とし、更に音楽や音声等を対象にして電子透かし情報を埋め込む構成としてもよい。この場合、各媒体には可聴域、不可聴域にコード化された情報を埋め込む。
【図面の簡単な説明】
【００３７】
【図１】本発明のシステム構成図である。
【図２】管理サーバの模式図である。
【図３】データベースの構成を示す図である。
【図４】（ａ）は通信販売会社が発行する商品カタログを確認し、携帯電話機を操作して当該商品画像を撮影する状態を示す図であり、（ｂ）は「購入」ボタンを指定することによって、自動的に通信販売会社のサーバに商品購入情報が送信されることを示す図である。
【図５】（ａ）は起動メニューの例を示す図であり、（ｂ）は電子透かし検出アプリケーションを選択する際の画面であり、（ｃ）は電子透かし情報が埋め込まれた画像を示し、（ｄ）は希望する被写体を撮影し、当該画像がディスプレイに表示された状態を示し、（ｅ）は上記処理によって抽出したＵＲＬをディスプレイに表示する例であり、（ｆ）はメールアドレス確認画面の表示を示し、（ｇ）はダイヤル確認画面の表示例であり、（ｈ）は当選案内表示の画面例であり、（ｉ）は購入手続き画面例である。
【図６】本実施形態の処理を説明するフローチャートである。
【図７】電子透かし情報の検出処理を詳しく説明するフローチャートである。
【図８】テレビ画面に表示される画像を撮影し、電子透かし情報を取得する例を説明する図である。
【図９】上記システムの説明、及び画像に電子透かし情報を埋め込む処理システムの概念図である。
【符号の説明】
【００３８】
１  管理サーバ
２  インターネット
３  印刷会社
４  クライアント企業
５  通信販売会社
６ａ、６ｂ  携帯電話機
７ａ、７ｂ  ＰＤＡ
１０  ＣＰＵ
１１  ＲＯＭ
１２  ＲＡＭ
１３  記憶装置
１４  ディスプレイ
１５  メディアドライバ
１６  記録媒体
２０  商品カタログ
【図１】
2005184158.tif 000003
【図２】
2005184158.tif 000004
【図３】
2005184158.tif 000005
【図５】
2005184158.tif 000006
【図６】
2005184158.tif 000007
【図７】
2005184158.tif 000008
【図４】
2005184158.tif 000009
【図８】
2005184158.tif 000010
【図９】
2005184158.tif 000011